(57)【要約】【課題】  本発明は、小さい空間で製品包装用ボックスをテーピング及びバンディング作業することができるテーピング及びバンディング装置を提供する。【解決手段】製品包装用ボックスの大きさによって製品包装用ボックスの両側面に密着するように水平移動する一対の側面ガイドと、この側面ガイドに密着した製品包装用ボックスをテーピングするテーピングユニットを備えるテーピング器と、その端部が側面ガイドの中の一つと一直線上に配置されてテーピングユニットによりテーピングされた製品包装用ボックスをバンディングするバンディングユニットを備えるバンディング器がインラインで設けられる。これによって、テーピング及びバンディング装置は、側面ガイドとバンディングユニットの端部が一直線上に配置されるようにすると共に、製品包装用ボックスの大きさによって側面ガイドの水平移動時、バンディングユニットを連動させることによって、小さい空間でも設けられることができる。【選択図】  図２
2008254814.tif 000002
【特許請求の範囲】
【請求項１】
製品包装用ボックスをテーピングするためのテーピング器と、前記テーピング器とインラインで連結され、前記製品包装用ボックスをバンディングするためのバンディング器を含むテーピング及びバンディング装置であって、
前記テーピング器は、前記製品包装用ボックスの大きさによって前記製品包装用ボックスの両側面に密着するように水平移動する一対の側面ガイドと、前記側面ガイドに密着した前記製品包装用ボックスをテーピングするテーピングユニットとを備え、
前記バンディング器は、その端部が前記側面ガイドの中の一つと一直線上に配置されて、前記テーピングユニットによりテーピングされた前記製品包装用ボックスをバンディングするバンディングユニットを備えることを特徴とするテーピング及びバンディング装置。
【請求項２】
前記側面ガイドの中の一つと前記バンディングユニットとの間には、前記側面ガイドの水平移動時、前記バンディングユニットを前記側面ガイドの動きと連動させるように連結する連結部が設けられたことを特徴とする請求項１記載のテーピング及びバンディング装置。
【請求項３】
前記連結部は、
前記側面ガイドから延びた第１連結部材と、
前記バンディングユニットから延びた第２連結部材と、
前記第１連結部材と前記第２連結部材と、
を結合させる結合部材とを含むことを特徴とする請求項２記載のテーピング及びバンディング装置。
【請求項４】
前記側面ガイドには、前記側面ガイドと、前記側面ガイドと連結された前記バンディングユニットを水平移動させるための駆動部が設けられたことを特徴とする請求項３記載のテーピング及びバンディング装置。
【請求項５】
前記バンディング器は、
前記バンディングユニットが一側に固定された上部フレームと、
前記上部フレームの下側に配置されて前記側面ガイドの水平移動時、前記上部フレームがローリング運動可能に設けられた下部フレームと、
を更に含むことを特徴とする請求項４記載のテーピング及びバンディング装置。
【請求項６】
前記バンディングユニットは、
バンドを供給するバンドリールと、
前記バンドリールにより供給されたバンドを前記製品包装用ボックスを引き締めることができるようにバンドをガイドするガイド部材と、
前記ガイド部材にガイドされて前記製品包装用ボックスを引き締めたバンドを前記製品包装用ボックスの側面で融着させる融着部材と、
を含むことを特徴とする請求項５記載のテーピング及びバンディング装置。
【請求項７】
前記上部フレームには、前記製品包装用ボックスが移動できるように多数の移送ローラが装着され、
前記ガイド部材は、前記移送ローラの上側に設けられたことを特徴とする請求項６記載のテーピング及びバンディング装置。
【請求項８】
前記融着部材は、前記製品包装用ボックスの側面でバンドを融着させることができるように、前記側面ガイドと一直線上に配置される前記バンディングユニットの端部に配置されたことを特徴とする請求項７記載のテーピング及びバンディング装置。
【請求項９】
前記バンディング器には、前記移送ローラを通じて移送される前記製品包装用ボックスを感知して、前記バンディングユニットを作動させるように信号を伝達する感知センサが更に設けられたことを特徴とする請求項５記載のテーピング及びバンディング装置。
【請求項１０】
前記テーピング器は、見掛けを形成するメインフレームと、前記メインフレームに装着されて前記製品包装用ボックスを移送する移送ローラを含むことを特徴とする請求項４記載のテーピング及びバンディング装置。
【請求項１１】
前記テーピングユニットは、
前記移送ローラの上側に配置されて、前記移送ローラを通じて移送される前記製品包装用ボックスの上面をテーピングする第１テーピングユニットと、
前記移送ローラの下側に配置されて前記移送ローラを通じて移送される前記製品包装用ボックスの下面をテーピングする第２テーピングユニットと、
を含むことを特徴とする請求項１０記載のテーピング及びバンディング装置。
【請求項１２】
前記テーピングユニットは、
テープを供給するテープリールと、
前記テープリールにより供給されたテープを前記製品包装用ボックスに接着させる接着ローラと、
を含むことを特徴とする請求項１１記載のテーピング及びバンディング装置。
【発明の詳細な説明】
【技術分野】
【０００１】
本発明は、テーピング及びバンディング装置に関し、より詳しくは、インラインでテーピング器とバンディング器が設けられて製品包装用ボックスをテーピング及びバンディングすることができるテーピング及びバンディング装置に関する。
【背景技術】
【０００２】
一般に、テーピング及びバンディング装置は、製品が受納された製品包装用ボックスの開封された部分をテーピング器によりテープ接着したり、テープ接着された製品包装用ボックスをバンディング器によりバンディングさせる装置をいう。
【０００３】
上記のようなテーピング及びバンディング装置は、図１に示すように、テーピング器１０とバンディング器６０がインラインで設けられて、テーピング器１０とバンディング器６０との間には製品包装用ボックスをテーピング器１０とバンディング器６０へ順次に移送させる移送ユニット３０が設けられる。
【０００４】
この際、移送ユニット３０には、製品包装用ボックスを移送させるための移送ローラ３１と、移送ローラ３１により移送される製品包装用ボックスを移送ローラ３１の側面に配置されたバンディング器６０側に密着させる第１プッシャー３２と、バンディング器６０によりバンディングが完了した製品包装用ボックスを移送ローラ３１の中央部に押す第２プッシャー３３が設けられる。
【０００５】
一方、製品包装用ボックスは、移送ローラ３１による移送時、通常的に移送ローラ３１の中央で移送される。しかしながら、大きい製品包装用ボックスの場合、この製品包装用ボックスの側面でバンドを引き締めた後、接着しなければならないので、製品包装用ボックスの移送時、第１プッシャー３２によりバンディング器６０側に密着させた後、バンディングすることになる。また、バンディング器６０によりバンディングが完了した製品包装用ボックスをまた移送するためには、第２プッシャー３３により移送ローラ３１の中央部にまた押さなければならない。
【０００６】
しかしながら、従来のテーピング及びバンディング装置は、大きい製品包装用ボックスの場合、前述したように、第１プッシャーと第２プッシャーが設けられなければならないので、移送ユニットの大きさが多くなって、設置空間が広くなる。
【０００７】
そして、従来のテーピング及びバンディング装置は、第１プッシャーと第２プッシャーの設置により投資費用が多くかかる。
【０００８】
また、従来のテーピング及びバンディング装置は、第１プッシャーと第２プッシャーの設置により設置時間が長くなることになり、メインテナンスが困難になる。
【発明の開示】
【発明が解決しようとする課題】
【０００９】
本発明は、上記の問題点を解決するためのものであって、製品包装用ボックスのテーピング及びバンディング作業を小さい設置空間で行うことができるように設けられたテーピング及びバンディング装置を提供することをその目的とする。
【課題を解決するための手段】
【００１０】
このような目的を具現するための本発明に係るテーピング及びバンディング装置は、製品包装用ボックスをテーピングするためのテーピング器と、上記テーピング器とインラインで連結され、上記製品包装用ボックスをバンディングするためのバンディング器を含み、上記テーピング器は、上記製品包装用ボックスの大きさによって上記製品包装用ボックスの両側面に密着するように水平移動する一対の側面ガイドと、上記側面ガイドに密着した上記製品包装用ボックスをテーピングするテーピングユニットとを備え、上記バンディング器は、その端部が上記側面ガイドの中の一つと一直線上に配置されて、上記テーピングユニットによりテーピングされた上記製品包装用ボックスをバンディングするバンディングユニットを備えることを特徴とする。
【００１１】
上記側面ガイドの中の一つと上記バンディングユニットとの間には、上記側面ガイドの水平移動時、上記バンディングユニットを上記側面ガイドの動きと連動させるように連結する連結部が設けられたことを特徴とする。
【００１２】
上記連結部は、上記側面ガイドから延びた第１連結部材と、上記バンディングユニットから延びた第２連結部材と、上記第１連結部材と上記第２連結部材とを結合させる結合部材とを含むことを特徴とする。
【００１３】
上記側面ガイドには、上記側面ガイドと、上記側面ガイドと連結された上記バンディングユニットを水平移動させるための駆動部が設けられたことを特徴とする。
【００１４】
上記バンディング器は、上記バンディングユニットが一側に固定された上部フレームと、上記上部フレームの下側に配置されて上記側面ガイドの水平移動時、上記上部フレームがローリング運動可能に設けられた下部フレームとを更に含むことを特徴とする。
【００１５】
上記バンディングユニットは、バンドを供給するバンドリールと、上記バンドリールにより供給されたバンドを上記製品包装用ボックスを引き締めることができるようにバンドをガイドするガイド部材と、上記ガイド部材にガイドされて上記製品包装用ボックスを引き締めたバンドを上記製品包装用ボックスの側面で融着させる融着部材とを含むことを特徴とする。
【００１６】
上記上部フレームには、上記製品包装用ボックスが移動できるように多数の移送ローラが装着され、上記ガイド部材は、上記移送ローラの上側に設けられたことを特徴とする。
【００１７】
上記融着部材は、上記製品包装用ボックスの側面でバンドを融着させることができるように、上記側面ガイドと一直線上に配置される上記バンディングユニットの端部に配置されたことを特徴とする。
【００１８】
上記バンディング器には、上記移送ローラを通じて移送される上記製品包装用ボックスを感知して、上記バンディングユニットを作動させるように信号を伝達する感知センサが更に設けられたことを特徴とする。
【００１９】
上記テーピング器は、見掛けを形成するメインフレームと、上記メインフレームに装着されて上記製品包装用ボックスを移送する移送ローラを含むことを特徴とする。
【００２０】
上記テーピングユニットは、上記移送ローラの上側に配置されて、上記移送ローラを通じて移送される上記製品包装用ボックスの上面をテーピングする第１テーピングユニットと、上記移送ローラの下側に配置されて上記移送ローラを通じて移送される上記製品包装用ボックスの下面をテーピングする第２テーピングユニットとを含むことを特徴とする。
【００２１】
上記テーピングユニットは、テープを供給するテープリールと、上記テープリールにより供給されたテープを上記製品包装用ボックスに接着させる接着ローラとを含むことを特徴とする。
【発明の効果】
【００２２】
以上、説明したように、本発明に係るテーピング及びバンディング装置は、側面ガイドとバンディングユニットの端部を一直線上に配置し、側面ガイドの水平移動時、バンディングユニットを連動させることによって、小さい空間でも設けることができる効果がある。
【発明を実施するための最良の形態】
【００２３】
以下、添付図面を参照しつつ本発明の実施形態を詳細に説明する。
【００２４】
図２は本発明に係るテーピング及びバンディング装置を示す斜視図であり、図３は図２に図示されたテーピング及びバンディング装置を示す斜視図である。
【００２５】
まず、図２及び図３に示すように、本発明に係るテーピング及びバンディング装置１００には、テーピング器１１０とバンディング器１６０がインラインで設けられている。
【００２６】
テーピング器１１０は、見掛けを形成するメインフレーム１１１、このメインフレーム１１１に装着されて製品包装用ボックスを移送する多数の移送ローラ１１２、この移送ローラ１１２により移送される製品包装用ボックスに両側面に密着する一対の側面ガイド１３０、及びこの側面ガイド１３０に密着して移送ローラ１１２により移送される製品包装用ボックスをテーピングするテーピングユニット１２０を含む。
【００２７】
具体的に、移送ローラ１１２は、前述したように、製品包装用ボックスを移送するためのものであって、メインフレーム１１１の上面に装着される。
【００２８】
側面ガイド１３０は、製品包装用ボックスの両側面に密着するように配置されるが、製品包装用ボックスの大きさによって水平移動可能に設けられる。
【００２９】
この際、側面ガイド１３０には、移送ローラ１１２による製品包装用ボックスの移送を補助するように設けられた移送ベルト１３３と、この移送ベルト１３３を駆動させるための駆動モータ１３５が装着される。また、側面ガイド１３０には、この側面ガイド１３０を製品包装用ボックスの大きさによって水平移動させる駆動部１３９が設けられる。この時の駆動部１３９は、空圧または油圧で側面ガイドを移動させるシリンダユニットであり得る。
【００３０】
テーピングユニット１２０は、前述したように、側面ガイド１３０に密着して移送ローラ１１２により移送される製品包装用ボックスをテーピングする役割をするものであって、移送ローラ１１２の上側に離隔するように配置されて製品包装用ボックスの上面をテーピングする上部テーピングユニット１２１と、移送ローラ１１２の下側に配置されて製品包装用ボックスの下面をテーピングする下部テーピングユニット１２６とを備える。
【００３１】
また、各テーピングユニット１２１、１２６には、テープを供給するテープリール１２２、及びこのテープリール１２２により供給されたテープを製品包装用ボックスに接着させる接着ローラ１２３が備えられる。この際、上部テーピングユニット１２１には、この上部テーピングユニット１２１を支持するための支持台１２４が設けられるが、この時の支持台１２４は、製品包装用ボックスの大きさによって昇降するように設けられる。そして、下部テーピングユニット１２６は、接着ローラ１２３が移送ローラ１１２と同一線上に配置されるように設けられるが、このために、移送ローラ１１２には下部テーピングユニット１２６の接着ローラ１２３が配置される溝が形成されている。
【００３２】
バンディング器１６０は、上部フレーム１６１、この上部フレーム１６１の一側に固定されて製品包装用ボックスをバンディングするバンディングユニット１７０、及び上部フレーム１６１の下側に配置される下部フレーム１６２を含む。
【００３３】
具体的に、上部フレーム１６１の上面には、製品包装用ボックスを移送させるための移送ローラ１６３が装着され、この時の移送ローラ１６３は、テーピング器の移送ローラ１１２から延びるように配置される。ここで、上部フレーム１６１には、移送ローラ１６３を通じて移送される製品包装用ボックスを感知してバンディングユニット１７０に信号を伝達する役割をする感知センサ１８０が設けられる。
【００３４】
下部フレーム１６２は、前述したように、上部フレーム１６１の下側に設けられ、この上部フレーム１６１がローリング運動可能に設けられる。
【００３５】
バンディングユニット１７０は、バンドを供給するバンドリール１７１、バンドリール１７１により供給されたバンドを移送ローラ１６３により移送される製品包装用ボックスを引き締められるようにバンドをガイドするガイド部材１７５、及びガイド部材１７５にガイドされて製品包装用ボックスを引き締めたバンドを融着させる融着部材１７３を含む。
【００３６】
また、バンディングユニット１７０は、前述したように、上部フレーム１６１の一側に固定されるが、その端部がテーピング器１１０の側面ガイド１３０の中の一つと一直線上に置かれるように配置される。ここで、ガイド部材１７５は、移送ローラ１６３により移送される製品包装用ボックスの上下面と両側面にバンドを引き締められるように移送ローラ１６３の上側に設けられる。そして、融着部材１７３は、ガイド部材１７５により引き締められたバンドを製品包装用ボックスの側面で融着させることができるように側面ガイド１３０と一直線上に配置されるバンディングユニット１７０の端部に配置される。
【００３７】
一方、本発明では、図３及び図４に示すように、側面ガイド１３０とバンディングユニット１７０との間に側面ガイド１３０とバンディングユニット１７０を連結して側面ガイド１３０の水平移動時、バンディングユニット１７０も連動されて水平移動できるようにする連結部材１５０が設けられる。即ち、本発明では、製品包装用ボックスの大きさによって駆動部１３９により水平移動する側面ガイド１３０の水平移動時、側面ガイド１３０と連結部材１５０により連結されたバンディングユニット１７０の端部が側面ガイド１３０と一直線上に配置されるように連動される。
【００３８】
このような連結部材１５０は、側面ガイド１３０から延びる第１連結部材１５１、バンディングユニット１７０から延びる第２連結部材１５２、及び第１連結部材１５１と第２連結部材１５２とを結合させる結合部材、即ちボルトを含む。この際、本発明では、側面ガイドとバンディングユニットとを連結させるために、第１連結部材と第２連結部材及び結合部材を使用したが、フックなどのような多様な方法によりなされることもできる。
【００３９】
以下、本発明に係るテーピング及びバンディング装置の動作及び作用効果を説明すれば、次の通りである。
【００４０】
まず、図５ａに示すように、製品が内入れされた製品包装用ボックスは、テーピング器１１０の移送ローラ１１２に置かれて、移送ローラ１１２に置かれた製品包装用ボックスは、この移送ローラ１１２により移送される。
【００４１】
上記のように移送される過程で、製品包装用ボックスは、テーピングユニット１２０により上面と下面の各々にテーピングされる。
【００４２】
この後、図５ｂに示すように、テーピング器１１０でテーピングされた製品包装されたボックスは、移送ローラ１１２によりバンディング器１６０側に持続的に移送される。
【００４３】
そして、バンディング器１６０の移送ローラ１６３により製品包装用ボックスが移送されれば、バンディング器１６０に設けられた感知センサ１８０により製品包装用ボックスの位置を確認してバンディングさせることになる。
【００４４】
上記の過程において、バンディングユニット１７０の端部は、テーピング器１１０の側面ガイド１３０の中の一つと一直線上に配置されるところ、製品包装用ボックスの側面からバンドを包んで引き締めた後、融着させることになる。
【００４５】
この後、持続的に移送ローラ１６３によりバンディングされた製品包装用ボックスを移送し、製品包装用ボックスのテーピング及びバンディング作業が完了する。
【００４６】
また、本発明では、図４に示すように、多様な大きさの製品包装用ボックスをテーピング及びバンディング作業を遂行することができる。
【００４７】
即ち、本発明では、製品包装用ボックスの両側面に一対の側面ガイド１３０を密着させるように水平移動させた後、製品包装用ボックスをテーピングさせることになるが、上記のように、側面ガイド１３０を水平移動させる過程で、この側面ガイド１３０と連結部材１５０により連結されたバンディングユニット１７０が水平移動されるので、製品包装用ボックスの移動なしに側面でバンディングさせることになる。
【００４８】
したがって、本発明では、側面ガイドと一直線上に配置されるように設けられたバンディングユニットが製品包装用ボックスの大きさによって水平移動される側面ガイドと連動されることで、移送ローラと第１プッシャー及び第２プッシャーなどが設けられた移送ユニットが備えられる従来とは異なり、テーピング及びバンディング装置の設置空間が少なくなると共に、設備投資費用が低減される。
【００４９】
また、本発明では、従来とは異なり、移送ユニットが備えられないことで、このテーピング及びバンディング装置の設置にかかる設置時間が減らし、これによるメインテナンスも容易になる。
【図面の簡単な説明】
【００５０】
【図１】従来のテーピング及びバンディング装置を示す平面図である。
【図２】本発明に係るテーピング及びバンディング装置を示す斜視図である。
【図３】図２に図示されたテーピング及びバンディング装置を示す斜視図である。
【図４】本発明に係るテーピング及びバンディング装置において、製品包装用ボックスの大きさによって側面ガイドとバンディングユニットを調整することを説明するために示す図である。
【図５ａ】本発明に係るテーピング及びバンディング装置の動作を説明するために示す図である。
【図５ｂ】本発明に係るテーピング及びバンディング装置の動作を説明するために示す図である。
【符号の説明】
【００５１】
１１０    テーピング器
１１１    メインフレーム
１１２    移送ローラ
１２０    テーピングユニット
１３０    側面ガイド
１５０    連結部材
１５１    第１連結部材
１５２    第２連結部材
１６０    バンディング器
１６１    上部フレーム
１６２    下部フレーム
１６３    移送ローラ
１７０    バンディングユニット
１７７    第２連結部材
【図１】
2008254814.tif 000003
【図２】
2008254814.tif 000004
【図３】
2008254814.tif 000005
【図４】
2008254814.tif 000006
【図５ａ】
2008254814.tif 000007
【図５ｂ】
2008254814.tif 000008